(57)【特許請求の範囲】
【請求項１】
無線通信ネットワークで基地局とユーザ装置（ＵＥ）との間でアクティブな制御フィードバックを可能にする方法であって、
コントローラによって、ＵＥがビーコン信号を前記基地局に送信するために、フレーム内に第１のタイムスロットを割り当て、前記ビーコン信号は、前記フレームのデータ信号と分離され、かつ上りリンク物理チャネル情報を含み、
前記コントローラによって、前記基地局が前記ビーコン信号に応じて制御信号を送信するために、前記フレーム内に前記第１のタイムスロットとは異なる第２のタイムスロットを割り当て、前記制御信号は、前記ＵＥが送信パラメータを調整する基準を提供し、
前記コントローラによって、前記基地局が全二重周波数分割複信（FDD）モードで動作するために、他のタイムスロットを割り当てることを備え、
前記制御信号を送信するために前記第２のタイムスロットを割り当てることは、符号ドメインの第１の符号を使って前記第２のタイムスロットを前記制御信号に割り当て、前記制御信号ではない他の下りリンク信号が、前記符号ドメインの第２の符号を使用して、前記制御信号と前記第２のタイムスロットを共有することを可能にすることを含み、前記第１の符号は前記第２の符号とは異なる、
方法。
【請求項２】
データ信号は、前記第１のタイムスロットに割り当てられない、請求項１に記載の方法。
【請求項３】
前記第１及び第２のタイムスロットは、全二重FDDモードで動作する、請求項１又は２に記載の方法。
【請求項４】
前記送信パラメータは、電力を有する、請求項１ないし３のうちいずれか１項に記載の方法。
【請求項５】
前記制御信号は、前記ビーコン信号の受信電力に基づいて計算されたパスロスと、前記ビーコン信号の到達時間と、前記ビーコン信号に応じて送信された受信信号のチャネルインパルス応答とを含むグループのうち少なくとも１つの要因に基づく、請求項１ないし４のうちいずれか１項に記載の方法。
【請求項６】
前記ＵＥのためにフレーム内に第１のタイムスロットを割り当てることは、それぞれ異なるビーコン信号の送信のために、異なるＵＥに少なくともいくつかの連続フレーム内で前記第１のタイムスロットを割り当てることを有し、
前記基地局のためにフレーム内に第２のタイムスロットを割り当てることは、前記異なるＵＥに前記少なくともいくつかの連続フレーム内で異なる制御信号を送信するために、前記基地局に前記第２のタイムスロットを割り当てることを有する、請求項１ないし５のうちいずれか１項に記載の方法。
【請求項７】
データ伝送の予想量と、要求されたデータ伝送レートと、データ伝送の短いバーストの頻度と、前記ネットワークに接続されたＵＥの総数と、最後のデータ伝送からの時間と、ＵＥの節電要件とを含むグループのうち少なくとも１つの要因に基づいて、前記第１のタイムスロットがどのＵＥに割り当てられるかを、前記コントローラによって決定することを更に有する、請求項１ないし６のうちいずれか１項に記載の方法。
【請求項８】
無線通信ネットワークで基地局とＵＥとの間でアクティブな制御フィードバックを可能にするコントローラであって、
ＵＥがビーコン信号を前記基地局に送信するために、フレーム内に第１のタイムスロットを割り当て、前記ビーコン信号は、前記フレームのデータ信号と分離され、かつ上りリンク物理チャネル情報を含むロジックと、
前記基地局が前記ビーコン信号に応じて制御信号を送信するために、前記フレーム内に前記第１のタイムスロットとは異なる第２のタイムスロットを割り当て、前記制御信号は、前記ＵＥが送信パラメータを調整する基準を提供するロジックと、
前記基地局が全二重周波数分割複信（FDD）モードで動作するために、他のタイムスロットを割り当てるロジックと、を備え、
前記制御信号を送信するために前記第２のタイムスロットを割り当てることは、符号ドメインの第１の符号を使って前記第２のタイムスロットを前記制御信号に割り当て、前記制御信号ではない他の下りリンク信号が、前記符号ドメインの第２の符号を使用して、前記制御信号と前記第２のタイムスロットを共有することを可能にすることを含み、前記第１の符号は前記第２の符号とは異なる、コントローラ。
【請求項９】
データ信号は、前記第１のタイムスロットに割り当てられない、請求項８に記載のコントローラ。
【請求項１０】
前記第１及び第２のタイムスロットは、全二重FDDモードで動作する、請求項８に記載のコントローラ。
【請求項１１】
前記送信パラメータは、電力の情報を含む、請求項８に記載のコントローラ。
【請求項１２】
前記制御信号を送信するために第２のタイムスロットを割り当てるロジックは、前記ビーコン信号の受信電力に基づいて計算されたパスロスと、前記ビーコン信号の到達時間と、前記ビーコン信号に応じて送信された受信信号のチャネルインパルス応答とを含むグループのうち少なくとも１つの要因に基づいて、制御信号を送信するように構成される、請求項８に記載のコントローラ。
【請求項１３】
前記ＵＥのためにフレーム内に第１のタイムスロットを割り当てるロジックは、それぞれ異なるビーコン信号の送信のために、異なるＵＥに少なくともいくつかの連続フレーム内で前記第１のタイムスロットを割り当てるロジックを有し、
前記基地局のためにフレーム内に第２のタイムスロットを割り当てるロジックは、前記異なるＵＥに前記少なくともいくつかの連続フレーム内で異なる制御信号を送信するために、前記基地局に前記第２のタイムスロットを割り当てるロジックを有する、請求項８に記載のコントローラ。
【請求項１４】
データ伝送の予想量と、要求されたデータ伝送レートと、データ伝送の短いバーストの頻度と、前記ネットワークに接続されたＵＥの総数と、最後のデータ伝送からの時間と、ＵＥの節電要件とを含むグループのうち少なくとも１つの要因に基づいて、前記第１のタイムスロットがどのＵＥに割り当てられるかを決定するロジックを更に有する、請求項８に記載のコントローラ。
【請求項１５】
無線通信ネットワークで基地局とＵＥとの間でアクティブな制御フィードバックを可能にするために、プロセッサによって実行可能なプログラムコードを有するコンピュータ可読記憶媒体であって、
前記プログラムコードは、
ＵＥがビーコン信号を前記基地局に送信するために、フレーム内に第１のタイムスロットを割り当て、前記ビーコン信号は、前記フレームのデータ信号と分離され、かつ上りリンク物理チャネル情報を含み、
前記基地局が前記ビーコン信号に応じて制御信号を送信するために、前記フレーム内に前記第１のタイムスロットとは異なる第２のタイムスロットを割り当て、前記制御信号は、前記ＵＥが送信パラメータを調整する基準を提供し、
前記基地局が全二重周波数分割複信（FDD）モードで動作するために、他のタイムスロットを割り当てる、ためのものであり、
前記制御信号を送信するために前記第２のタイムスロットを割り当てることは、符号ドメインの第１の符号を使って前記第２のタイムスロットを前記制御信号に割り当て、前記制御信号ではない他の下りリンク信号が、前記符号ドメインの第２の符号を使用して、前記制御信号と前記第２のタイムスロットを共有することを可能にすることを有し、前記第１の符号は前記第２の符号とは異なる、
コンピュータ可読記憶媒体。
【請求項１６】
データ信号は、前記第１のタイムスロットに割り当てられない、請求項１５に記載のコンピュータ可読記憶媒体。
【請求項１７】
前記第１及び第２のタイムスロットは、全二重FDDモードで動作する、請求項１５に記載のコンピュータ可読記憶媒体。
【請求項１８】
前記送信パラメータは、電力を有する、請求項１５に記載のコンピュータ可読記憶媒体。
【請求項１９】
前記制御信号は、前記ビーコン信号の受信電力に基づいて計算されたパスロスと、前記ビーコン信号の到達時間と、前記ビーコン信号に応じて送信された受信信号のチャネルインパルス応答とを含むグループのうち少なくとも１つの要因に基づく、請求項１５に記載のコンピュータ可読記憶媒体。
【請求項２０】
前記ＵＥのためにフレーム内に第１のタイムスロットを割り当てるプログラムコードは、それぞれ異なるビーコン信号の送信のために、異なるＵＥに少なくともいくつかの連続フレーム内で前記第１のタイムスロットを割り当てるプログラムコードを含み、
前記基地局のためにフレーム内に第２のタイムスロットを割り当てるプログラムコードは、前記異なるＵＥに前記少なくともいくつかの連続フレーム内で異なる制御信号を送信するために、前記基地局に前記第２のタイムスロットを割り当てるプログラムコードを含む、請求項１５に記載のコンピュータ可読記憶媒体。
【請求項２１】
データ伝送の予想量と、要求されたデータ伝送レートと、データ伝送の短いバーストの頻度と、前記ネットワークに接続されたＵＥの総数と、最後のデータ伝送からの時間と、ＵＥの節電要件とを含むグループのうち少なくとも１つの要因に基づいて、前記第１のタイムスロットがどのＵＥに割り当てられるかを決定するプログラムコードを更に有する、請求項１５に記載のコンピュータ可読記憶媒体。
【発明の詳細な説明】
【技術分野】
【０００１】
本発明は、FDDモードで動作するTDDシステムのフィードバック制御に関する。
【背景技術】
【０００２】
時分割−符号分割多重アクセス（TD-CDMA：time  division-code  division  multiple  access）は、UMTS（universal  mobile  telecommunication  system）の３つの基本的な概念（時分割多重アクセス（TDMA：time  division  multiple  access）、符号分割多重アクセス（CDMA：code  division  multiple  access）及び時分割複信（TDD：time  division  duplex）の利点を結合した無線インタフェース技術である。特に、TDDは、上りリンク通信及び下りリンク通信に同じ無線チャネルを使用し、時間で送信を分離することにより、信号を区別する。同じ周波数で双方のリンクを動作することにより得られる利点の１つは、チャネル相互関係（channel  reciprocity）を利用できることである。
【０００３】
チャネル相互関係は、ユーザ装置（UE：user  equipment）により受信された信号に基づいて、下りリンクチャネル状態から上りリンクチャネル状態についての情報を導くことができる機能を、装置に与える。パスロスは、チャネル相互関係から得られるチャネル情報の一例である。上りリンクのパスロスを認識することにより、開ループ電力制御が上りリンク送信に使用可能になる。例えば、上りリンク電力制御は、全てのUEが上りリンクのパスロスに拘らず固定の電力で送信した場合に別法では直面する遠近効果を打ち消すため、TD-CDMAのCDMA要素の動作に重要である。
【０００４】
開ループ上りリンク電力制御機能は、パケット型通信及び／又は共有チャネルに使用される多重アクセスデータ伝送システムと結合されたときに、かなりの利点を提供する。限られた数の上りリンクチャネルへのアクセスが大量の端末間で共有される場合、チャネルへのアクセスが端末間で最小の遅延で切り替えられ得ることが必須になる。下りリンク送信（ビーコン信号）から上りリンクチャネルにアクセスする必要のある情報を導くことができるデータ端末は、フィードバックチャネルを確立するために個別チャネルの（長い）構成に依存する端末よりかなりの利点を有する。
【発明の概要】
【発明が解決しようとする課題】
【０００５】
しかし、チャネル相互関係は、必ずしも保証できるとは限らない。例えば、TDD送信は、特定の周波数スペクトル割り当てで許容されないことがある。これは規制上の問題であり、同じ又は隣接する周波数帯域の他の無線装置を保護するために使用されることがある。これらの状況では、チャネルはチャネルの干渉性帯域幅（coherence  bandwidth）より大きい量だけ周波数で分離される搬送周波数で伝達されるため、上りリンクチャネルと下りリンクチャネルとの間の相関性は失われる（通常では、上りリンク及び下りリンクのフェージングプロファイルを独立にさせるために数MHzの分離のみで十分である）。
【０００６】
高速移動アプリケーションでは、下りリンク送信と上りリンク送信との間の時間遅延は、チャネルの干渉性時間（coherence  time）を超えることがある。許容できる最大遅延時間は、移動速度と使用されるRF搬送周波数との関数であり、速度及びRF搬送周波数の増加と共に干渉性時間が減少する。また、ネットワーク及び／又は移動端末での複数の送信及び／又は受信アンテナの使用は、上りリンクチャネルと下りリンクチャネルとの間で意図的でない非相関性（decorrelation）を採り入れる可能性がある。
【０００７】
上りリンクのパスロスと下りリンクのパスロスとの間の相関性が保証されないアプリケーションでTD-CDMA無線インタフェースが使用される場合、チャネル相互関係の代わりを見つけることが有利である。
【０００８】
パスロスが相互関係のない無線インタフェースをサポートすることが望ましいが、既知の通常の方法は、チャネル相互関係が保証されない場合に重要な特徴及び利点を与えるためにチャネル相互関係を使用する無線インタフェースの進展又は適合に直接的に対応できない。本発明の実施例で提供される適合は、上りリンク共有チャネルをサポートする無線インタフェースの機能に最小の影響で、チャネル相互関係のない場合の代わりとしてフィードバック方式を使用する上りリンクチャネル制御の新たな技術を導入する。
【課題を解決するための手段】
【０００９】
本発明の実施例は、基地局とユーザ装置（UE：user  equipment）との間でアクティブなフィードバック制御を可能にする。特に、TDDに設計されたシステムの動作又は非対称性（対でない）（unpaired）動作は、FDD又は対称性（対の）（paired）モードに拡張される。例えば、（電力制御用の）上りリンクビーコン機能及び変更されたランダムアクセス処理は、対称性動作におけるチャネル相互関係の欠如により失われた情報の代わりになる。本発明の実施例は、端末が上りリンク物理チャネルと独立して上りリンク物理チャネル制御信号（ULビーコン）を送信することを可能にする。従って、閉ループフィードバックの実装は、上りリンク物理チャネルがない場合に動作してもよい。一実施例では、UEは、フレーム内のデータのタイムスロットとは別にビーコン信号のタイムスロットを割り当てる。第２のタイムスロットは、基地局がビーコン信号に応じて制御信号を送信するために、フレーム内に割り当てられる。制御信号は、送信パラメータを調整するようにUEに命令する。
【００１０】
ULビーコン信号は、物理レイヤ共通制御チャネル（PLCCH：physical  layer  common  control  channel）と結合され、フィードバックシステムを形成してもよい。専用タイムスロットは、特定の上りリンクタイムスロットで複数のUEからのULビーコン信号の全てをグループ化する。ULビーコン信号を一緒にグループ化することにより、実施例は、ULビーコン信号と標準的な上りリンク物理チャネルとの間の分離を得る。更に、同期システムでは、本発明の実施例は、他のセルサイトからULビーコン信号を検出してキャンセルする（セル間干渉）。PLCCHは、ULビーコン信号を送信しているUEへのフィードバック情報を伝達する。PLCCHは、システムのCDMAの側面を利用することにより、他の物理チャネルとタイムスロットを共有することができる。
【００１１】
他の実施例では、サポートされるUEの数は、複数フレーム期間を通じてULビーコン及びPLCCHの使用を分割（fractionate）することにより増加され得る。分割はまた、半二重のUEが長いUL/DL切り替え時間を有する場合にタイムスロットのブロッキング（timeslot  blocking）を回避してもよい。更に、半二重端末のサポートは、TDMAフレーム構成の性質のため、暗示的である。システムは、半二重端末のみが配置されても基地局の全容量が利用できるように、複数の端末を通じてリソースの割り当てを管理してもよい。本発明の実施例では、全二重端末は、半二重のUEと共に依然としてサポートされ得る。
【００１２】
更に、他の実施例では、無線リソース制御（RRC：radio  resource  control）接続状態は、セル転送アクセスチャネル（Cell  F  ACH：cell  forward  access  channel）にある端末の部分をカバーする。この端末の部分は、ULビーコンを送信しており、PLCCHを受信しているため、アクティブ制御フィードバックチャネルを生成している。セル・アクティブ（Cell_Active）状態のUEの管理は、アクティブでないユーザを除去してもよく、進行中のデータ伝送要件を有し得るユーザを保持しつつ、新たにアクティブになったユーザを追加してもよい。
【図面の簡単な説明】
【００１３】
【図１】本発明の実施例によるセルラ通信システム
【図２】本発明の実施例に従ってFDDをサポートするように変更されたTD-CDMAフレーム構成内におけるULビーコン及び対応するPLCCHをサポートする上りリンク及び下りリンクメッセージのタイムスロット構成
【図３】本発明の実施例による基地局での異なるフレームの分割
【図４】本発明の実施例によるUTRA  RCC接続モード
【図５】本発明の実施例を実装するために使用され得るコンピュータシステム
【発明を実施するための形態】
【００１４】
図１は、本発明の実施例によるセルラ通信システムの例を示している。ネットワークは、ユーザ装置（UE：user  equipment）ドメインと、無線アクセスネットワーク（RAN：radio  access  network）ドメインと、コアネットワークドメインとを含む。UEドメインは、UEドメインは、無線インタフェースを介してRANドメインの少なくとも１つの基地局112と通信するユーザ装置110を含む。RANドメインはまた、UMTSシステムで使用されるもののようなネットワークコントローラ（RNC）118（例えば、無線ネットワークコントローラ）を含んでもよい。代替として、このような機能は、Node  Bとアクセスゲートウェイ（AGW：access  gateway）（図示せず）又はコアネットワークの他のコントローラとの間に分散されてもよい。図１はまた、任意選択の無線リソースマネージャ（RRM：radio  resource  manager）114を示している。或る実施例では、RRMは、別法ではNode  B又はAGWにより実行される機能を実行してもよい。
【００１５】
この実施例では、コアネットワーク（CN：core  network）116は、SGSN（serving  GPRS  support  node）120と、GGSN（gateway  GPRS  support  node）122とを含む。コアネットワークは、外部ネットワーク124に結合される。SGSN120は、UEの位置の追跡を含み、セッション制御の役目をする。GGSN122は、コアネットワーク116内でユーザデータを集め、外部ネットワーク124の最終的な宛先（例えば、インターネットサービスプロバイダ）にトンネリングする。更なる詳細は、3GPP  UMTS技術仕様書（3GPP  Support  Office,  650  Route  des  Lucioles  -  Sophia  Antipolis,  Valbonne  -  FRANCEにより発行されたTS23.246  v6.4.0  “3rd  Generation  Partnership  Project;  Technical  Specification  Group  Services  and  System  Aspects;  Multimedia  Broadcast/Multicast  Service  (MBMS);  Architecture  and  Functional  Description  (Release  6)”）にある。この文献が参照として取り込まれる。
【００１６】
本発明の実施例を実装し得る例示的な通信システムに関する更なる詳細は、3GPP  UMTS技術仕様書（TR23.882,  “3GPP  System  Architecture  Evolution:  Report  on  Technical  Options  and  Conclusions”、TR25.912,  “Feasibility  Study  for  Evolved  UTRA  and  UTRAN”、TS23.101,  “General  Universal  Mobile  Telecommunications  System  (UMTS)  Architecture”等）にある。これらの全てが参照として取り込まれる。
【００１７】
＜TDDからFDDへの進展＞
時分割複信（TDD：Time  Division  Duplex）モードで動作するように設計されたシステムは、直交する時点で送信及び受信する端末及び基地局を有する。通常の動作では、基地局が送信しているときに、端末は受信モードになり、端末が送信しているときに、基地局は受信モードになる。通常のTDDの実装では、基地局と端末との双方は、同じ時点で送信及び受信することができない。この理由は、上りリンク通信と下りリンク通信とに同じ周波数が使用されているからである。
【００１８】
このようなシステムは、周波数分割複信（FDD：Frequency  Division  Duplex）モードで動作するように調整され得る。この場合、上りリンク通信と下りリンク通信とは異なる周波数で生じる。本発明の実施例によれば、周波数スペクトルリソースを十分且つ効率的に利用するために、基地局は、同じ時間に送信及び受信するように適合される。上りリンク通信と下りリンク通信とが異なる周波数で生じるため、このことが可能になる。しかし、ユーザ端末は、直交する時点で送信及び受信する制約を保持しており、同じ時間に送信及び受信する必要のない簡略性を保持する（例えば、デュプレクサは必要ない）。周波数スペクトルを十分に利用することは、複数の端末を通じてリソースを割り当てることにより得られる。
【００１９】
TDDシステムに想定され得るチャネル相互関係に依存する無線インタフェースの側面が存在する場合、更なる指標が必要になってもよい。TD-CDMAの場合、上りリンク電力制御及びレート適合の正確な動作について変更が行われてもよい。これは、上りリンクチャネル状態を推定するために使用される上りリンク物理制御チャネルと、端末に制御情報をフィードバックするために使用される下りリンクチャネルとを規定することにより実現され得る。これらのチャネルは、関連するデータ物理チャネルが動作可能になるためには必要ない。
【００２０】
ランダムアクセスチャネルに変更が行われてもよい。これは、何らかの物理ランダムアクセスの開始時に更なるインジケータ・ステップを導入することにより実現されてもよい。新たな上りリンク物理チャネルは、ランダムアクセスチャネル・インジケータを伝達する。新たな下りリンク物理リンクチャネルは、受信した上りリンクインジケータへの応答を伝達する。
【００２１】
＜上りリンク物理チャネル制御信号＞
パスロスの相互関係が利用できない場合、端末が上りリンクチャネルの状況を通知され続けるために、上りリンク物理チャネル制御信号と下りリンクフィードバックチャネルとの結合が使用されてもよい。上りリンク物理チャネル制御信号は、ここでは、“上りリンクビーコン（ULビーコン）”と呼ばれる。
【００２２】
一般的に、共有チャネルをサポートするシステムはまた、大量の端末に対する共有アクセスをサポートし得る。結果のトランク利得（trunking  gain）から最大の利益を得るために、共有チャネルは複数のUEに迅速且つ効率的に再割り当てされ得る。上りリンク共有チャネルへの迅速なアクセスを取得するために、端末は最初の送信で正確な電力で送信することができ、これにより、待ち時間が最小に保たれ得る。
【００２３】
本発明の実施例によれば、RNC又は他のコントローラ（例えば、コアネットワークでその機能を有する他のコントローラ）は、物理チャネル制御信号が上りリンク（共有）物理チャネルから分かれるようにリソースを割り当てる。従って、端末は、上りリンク共有チャネルへのアクセスと独立して、ULビーコンを送信することができる。システムは、閉ループ制御システムを実装してもよく、この場合、基地局は、ULビーコンから受信電力及び／又は他のチャネル情報を検出し、端末が基地局で観測されたチャネル状態を通知され続けるために、各端末に制御コマンドを返信する。
【００２４】
特定の実施例では、閉ループ制御システムは、基地局で受信したULビーコン電力に単に基づく。基地局は、ULビーコン信号から受信した電力に基づいて、共有下りリンクチャネルで各端末に電力制御コマンドを送信してもよい。例えば、各電力制御コマンドは、端末電力が所定量だけ増加するか減少するかを示してもよい。この下りリンクチャネルは、“物理レイヤ制御チャネル（PLCCH：Physical  Layer  Control  Channel）”と呼ばれる。PLCCHの容量は、同時にサポートできるULビーコン数及びフィードバックフィールドに必要なビット数に一致してもよい。すなわち、各ULビーコンはPLCCHの１ビットに対応してもよい。ULビーコン信号を送信する全ての端末は、このチャネルを受信し、関連するフィードバックフィールドを抽出してもよい。
【００２５】
基地局により受信されたULビーコン信号の他の側面（到達時間等）とチャネルインパルス応答とに基づいて制御コマンドを送信することにより、制御ループの複雑性を拡張することも可能である。フィードバックチャネルに必要なリソース量は、各UEへのフィードバック情報のサイズ（ビット単位）と共に増加する。
【００２６】
例えば、TDMA要素を有する無線インタフェース技術では、フレーム毎の少なくとも１つの上りリンクタイムスロット（又は複数フレーム毎の少なくとも１つのタイムスロット）をULビーコン信号の伝達に専用にすることにより、ULビーコンと通常の物理チャネルとの間の分離を提供するように、TDMAフレーム構成を適合させることも可能である。
【００２７】
ULビーコン信号を専用タイムスロットに配置することにより、セル内相殺（同じセルの複数の端末により送信されたULビーコン信号間での相互相関干渉の効果を軽減すること）又はセル間相殺（ULビーコンのタイムスロットが時間同期している場合の周辺セルからの干渉を低減すること）のような性能拡張機能を含み得る専用検出方式が適用され得る。ULビーコンと通常の上りリンクのバーストとの間の相互干渉は、別のタイムスロットの使用から得られる分離により回避され得る。
【００２８】
本発明の実施例によるフレーム構成内におけるULビーコン及び関連するPLCCHの構成について、多数の可能性が存在することを当業者は認識する。（システム容量を犠牲として）フィードバック更新レートがフレームレートより速いことが必要である場合、フレーム毎に１つより多くのULビーコン及びPLCCHがサポートされてもよい。低いフィードバックレートを許容できるシステムアプリケーションでは、実施例は、ULビーコンのタイムスロット（及び関連するPLCCH）の使用を分割（fractionate）してもよい。
【００２９】
分割が使用される場合、RNC又は他のコントローラは、現在の分割フェーズに依存して、所与のフレームのULビーコンのタイムスロットを端末のグループに割り当て、これにより、アクティブな物理チャネルフィードバック制御でサポートされ得る端末数を増加させてもよい。最大分割周期の長さは、システムがその性能目標を満たすために必要とするフィードバック更新レートにより決定されてもよい。
【００３０】
図２は、FDDをサポートするように変更されたTD-CDMAフレーム構成内におけるULビーコン及び対応するPLCCHをサポートするタイムスロット構成の例を示している。この例では、PLCCH212は、他の下りリンク共有チャネルとタイムスロットを共有する。通常の下りリンク物理チャネルがPLCCHを送信するために使用されるため、このことが可能になる。下りリンクフレームもまた、下りリンクビーコンのタイムスロット206と、アクセス制御タイムスロット208と、通常のトラヒックを伝達するタイムスロット210とを有する。上りリンクフレームは、ULビーコン制御タイムスロット216と、アクセス制御タイムスロット218と、通常のトラヒックを伝達するタイムスロット214とを有する。
【００３１】
図３は、分割が使用される例を示している。ULビーコン及びPLCCHタイムスロットは、基地局302の各フレームでアクティブである。しかし、端末304、端末306及び端末308は、異なる分割フェーズを割り当てられる。図３は、分割フェーズが３である場合を示している。例えば、端末304の分割フェーズはフレーム#0  310で生じ、端末306の分割フェーズはフレーム#1  312で生じ、端末308の分割フェーズはフレーム#2で生じる。分割フェーズは３であるため、端末304のフェーズがフレーム#3  316で再び生じる。
【００３２】
＜半二重端末＞
本発明の実施例は、端末が半二重又は全二重モードで動作することを可能にする。半二重システムでは、基地局及び端末は、同時に送信及び受信しない。このようなシステムが対称性（対の）（paired）スペクトルで動作するように進展した場合、基地局が半二重動作を保持すると非効率的になる。しかし、端末がこのようにすることは必ずしも非効率的ではない。この理由は、半二重動作が端末の設計及び実装に何らかの利点を有し得るからである。
【００３３】
それにも拘らず、検討すべきいくつかのポイントが存在する。例えば、単一の端末は、全送信及び全受信スロットにアクセスすることができない可能性がある。従って、システムは、複数の端末を通じてリソースを管理し、基地局での全ての利用可能なリソースが効率的に利用されることを確保する必要がある。タイムスロットのブロッキング（blocking）を回避するため、半二重端末は、１より大きい分割周期で動作してもよい。特に、これはまた、フレーム毎に１つより多くのULビーコンのタイムスロットが存在する場合にも当てはまり得る。半二重端末が送信機能と受信機能との間を切り替えるために時間遅延が存在する。或る場合に、この遅延は、連続するタイムスロットの間に挿入されるガード期間を超える。半二重端末の場合、端末は、隣接するタイムスロットで送信及び受信することができない。これは、ULビーコン、PLCCH及び他の共通チャネルの位置に影響を与える。従って、システムが構成されるときに、タイムスロット構成が調整されてもよい。
【００３４】
＜端末管理＞
本発明の実施例は、上りリンク物理トラヒックから上りリンク制御を分離する。このことにより、端末が送信するデータを有さないときでも、上りリンク共有チャネルが最大の効率で使用可能になるという結果を伴って、制御フィードバックが動作することが可能になる。
【００３５】
共有チャネルを効率的に使用するために、比較的大きいユーザ基盤（user  base）が必要になり得る。同時に、これらの端末の制御フィードバックチャネルをサポートするために必要なネットワークリソースが最小化される必要がある。一般的に、アクティブな制御フィードバックチャネルでサポート可能なユーザ数は、セル毎の典型的なユーザ数より小さい。従って、このアクティブ状態の端末は管理されてもよい。
【００３６】
UMTS技術では、本発明の実施例は、新たなUTRA  RRC-Control（Universal  Terrestrial  Radio  Access-Radio  Resource  Control-Connected）下位状態をシステムに提供する。UTRAシステムは、例えば、CELL_DCH、CELL_FACH等のように、異なるRRC接続状態の概念を既にサポートしている（TS25.331  Radio  Resource  Control  (RRC)  Protocol  Specification参照)。この文献が参照として取り込まれる。この下位状態は、セル・アクティブ（CELL_ACTIVE）状態と呼ばれる。図４は、他のUTRA  RRC接続状態に関するこの下位状態を示している。セル・アクティブ下位状態のUEは、上りリンク物理チャネルの物理チャネル制御部分のみを送信し、他に送信しない（すなわち、データはない）。
【００３７】
図４に示すように、セル・アクティブ下位状態は、CELL_FACH状態404の下位状態である。一般的に、CELL_FACH状態のUEは、RRC接続を有するが、データをアクティブに伝送していないことがある。CELL_FACH状態404の複数のUEのうち、ネットワークにより最もアクティブなUEであると決定された少数のUEは、セル・アクティブ状態406でサポートされる。この状態では、UEは、物理チャネル制御信号を送信し、ネットワークから関連するフィードバックチャネルを受信する。UEは、フィードバックチャネルから上りリンクのパスロス状態を認識するため、上りリンク共有チャネルへの即時アクセスを有することができ、ネットワークのリソース割り当て器（コントローラ）はそれに従ってUEを扱うことができる。
【００３８】
どのUEがセル・アクティブ状態に保持されるかを支配するルールは、ネットワークにより（例えばRNCを通じて）決定され、UEにより要求されたデータ伝送量、UEにより要求されたデータ伝送レート、データ伝送の短いバーストの頻度、CELL_FACH状態のUEの総数、最後のデータ伝送からの時間、UEの節電要件等のような要因に基づいてもよい。
【００３９】
セル・アクティブ状態のUEは、送信機をアクティブにしているため、これらのUEが下りリンクの状態を監視し、下りリンクが同期外（例えば、非常に高い下りリンクの誤り又は低い受信信号強度）であると見なされた場合に自動的にセル・アクティブ状態から出ることが必要である。この機能は、フィードバックチャネルが信頼できない可能性があり、従って干渉を生じている可能性がある状態でUEが送信し続けることを回避する。
【００４０】
特定の実施例及び例示的な図面に関して本発明を説明したが、本発明は記載した実施例又は図面に限定されないことを、当業者は認識する。或る場合にはUMTS技術を使用して本発明の実施例について説明したが、このような用語が一般的な意味でも使用され、本発明がこのようなシステムに限定されないことを、当業者は認識する。
【００４１】
様々な実施例の動作が、必要に応じてハードウェア、ソフトウェア、ファームウェア又はこれらの組み合わせを使用して実施され得ることを、当業者は認識する。例えば、或る処理は、ソフトウェア、ファームウェア又は配線ロジックの制御で、プロセッサ又は他のデジタル回路を使用して実行されてもよい（ここでの“ロジック”という用語は、記載の機能を実行するために当業者により認識されるような、固定のハードウェア、プログラム可能ロジック及び／又はこれらの適切な組み合わせを示す）。ソフトウェア及びファームウェアは、コンピュータ可読媒体に格納されてもよい。他の処理は、当業者に周知のように、アナログ回路を使用して実装されてもよい。更に、メモリ又は他の記憶装置は、通信構成要素と同様に、本発明の実施例で使用されてもよい。
【００４２】
図５は、本発明の実施例の処理機能を実行するために使用され得る典型的なコンピュータシステム500を示している。例えば、この形式のコンピュータシステムは、無線コントローラ、基地局及びUEで使用されてもよい。当業者はまた、他のコンピュータシステム又はアーキテクチャを使用して本発明を実施する方法も認識する。例えば、コンピュータシステム500は、所定の用途又は環境に望ましく又は適切になり得るように、デスクトップ、ラップトップ若しくはノートブックコンピュータ、ハンドヘルド型コンピュータ装置（PDA、携帯電話、パームトップ等）、メインフレーム、スーパーコンピュータ、サーバ、クライアント、又は他の形式の専用若しくは汎用コンピュータ装置を表してもよい。コンピュータシステム500は、１つ以上のプロセッサ（プロセッサ504等）を含んでもよい。プロセッサ504は、汎用又は専用目的処理エンジン（例えば、マイクロプロセッサ、コントローラ又は他の制御ロジック等）を使用して実装されてもよい。この例では、プロセッサ504は、バス502又は他の通信媒体に接続される。
【００４３】
コンピュータシステム500はまた、プロセッサ504により実行される命令及び情報を格納するメインメモリ508（ランダムアクセスメモリ（RAM）又は他の動的メモリ等）を含んでもよい。メインメモリ508はまた、プロセッサ504により実行される命令の実行中に一時変数又は他の中間情報を格納するために使用されてもよい。コンピュータシステム500は同様に、バス502に結合され、プロセッサ504の命令及び静的情報を格納する読み取り専用メモリ（ROM）又は他の静的記憶装置を含んでもよい。
【００４４】
コンピュータシステム500はまた、情報記憶システム510を含んでもよい。例えば、情報記憶システム510は、メディアドライブ512と取り外し可能記憶インタフェース520とを含んでもよい。メディアドライブ512は、固定又は取り外し可能の記憶媒体（ハードディスクドライブ、フロッピー（登録商標）ディスクドライブ、磁気テープドライブ、光ディスクドライブ、CD若しくはDVDドライブ（R又はRW）又は他の取り外し可能若しくは固定のメディアドライブ）をサポートするドライブ又は他の機構を含んでもよい。例えば、記憶媒体518は、メディアドライブ514により読み取られて書き込まれるハードディスク、フロッピー（登録商標）ディスク、磁気テープ、光ディスク、CD若しくはDVD、又は他の固定又は取り外し可能の媒体を含んでもよい。これらの例が示すように、記憶媒体518は、特定のコンピュータソフトウェア又はデータを格納したコンピュータ可読記憶媒体を含んでもよい。
【００４５】
代替実施例では、情報記憶システム510は、コンピュータプログラム若しくは他の命令又はデータがコンピュータシステム500にロードされることを可能にする他の同様の構成要素を含んでもよい。例えば、このような構成要素は、ソフトウェア及びデータが取り外し可能記憶ユニット518からコンピュータシステム500に転送されることを可能にする取り外し可能記憶ユニット522及びインタフェース520（プログラムカートリッジ及びカートリッジインタフェース等）と、取り外し可能メモリ（例えば、フラッシュメモリ又は他の取り外し可能メモリモジュール）及びメモリスロットと、他の取り外し可能記憶ユニット522及びインタフェース520とを含んでもよい。
【００４６】
コンピュータシステム500はまた、通信インタフェース524を含んでもよい。通信インタフェース524は、ソフトウェア及びデータがコンピュータシステム500と外部装置との間で転送されることを可能にするために使用され得る。通信インタフェース524の例は、モデム、ネットワークインタフェース（Ethernet（登録商標）又は他のNICカード等）、通信ポート（例えば、USBポート等）、PCMCIAスロット及びカード等を含んでもよい。通信インタフェース524を介して転送されるソフトウェア及びデータは、通信インタフェース524により受信可能な電子、電磁気、光又は他の信号でもよい信号の形式である。これらの信号は、チャネル528を介して通信インタフェース524に提供される。このチャネル528は、信号を伝達してもよく、無線媒体、有線若しくはケーブル、光ファイバ、又は他の通信媒体を使用して実装されてもよい。チャネルのいくつかの例は、電話回線、セルラ電話回線、RF回線、ネットワークインタフェース、ローカルエリアネットワーク又は広域ネットワーク、及び他の通信チャネルを含む。
【００４７】
この文献において、“コンピュータプログラムプロダクト”及び“コンピュータ可読媒体”等という用語は、メディア（例えば、メモリ508、記憶装置518、記憶ユニット522等）を示すために一般的に使用されることがある。コンピュータ可読媒体の前記及び他の形式は、プロセッサに指定の動作を実行させるために、プロセッサ504により使用される１つ以上の命令を格納してもよい。このような命令（一般的に“コンピュータプログラムコード”と呼ばれる）（コンピュータプログラムコードはコンピュータプログラムの形式にグループ化されてもよく、他のグループにグループ化されてもよい）は、実行されたときに、コンピュータシステム500が本発明の実施例の機能又は関数を実行することを可能にする。コードは、直接的にプロセッサに指定の動作を実行させてもよく、コンパイルされて実行させてもよく、及び／又は他のソフトウェア、ハードウェア及び／又はファームウェア要素（例えば、標準機能を実行するライブラリ）と結合されて実行させてもよい点に留意すべきである。
【００４８】
要素がソフトウェアを使用して実装される実施例では、ソフトウェアは、例えば取り外し可能記憶ドライブ514、ドライブ512又は通信インタフェース524を使用して、コンピュータ可読媒体に格納され、コンピュータシステム500にロードされてもよい。制御ロジック（この例では、ソフトウェア命令又はコンピュータプログラムコード）は、プロセッサ504により実行されたときに、プロセッサ504にここに記載の本発明の機能を実行させる。
【００４９】
明瞭にするために、前述の説明は、異なる機能ユニット及びプロセッサを参照して本発明の実施例について説明したことがわかる。しかし、本発明を逸脱することなく、異なる機能ユニット、プロセッサ又はドメインの間での何らかの適切な機能分散が使用されてもよいことが明らかである。例えば、別のプロセッサ又はコントローラにより実行されるように示されている機能は、同じプロセッサ又はコントローラにより実行されてもよい。従って、特定の機能ユニットへの言及は、厳密な論理的又は物理的構造又は構成を示すのではなく、所望の機能を提供する適切な手段への言及のみとして見なされる。
【００５０】
いくつかの実施例に関して本発明を説明したが、ここに記載の特定の形式に限定されることを意図しない。むしろ、本発明の範囲は特許請求の範囲のみにより限定される。更に、特徴は特定の実施例に関して記載されているように見えることがあるが、前述の実施例の様々な特徴は本発明に従って結合されてもよいことを、当業者はわかる。
【００５１】
更に、個々に記載されているが、複数の手段、要素又は方法のステップは、例えば、単一のユニット又はプロセッサにより実装されてもよい。更に、個々の特徴が異なる請求項に含まれることがあるが、これらは、場合によって有利に結合されてもよく、異なる請求項に含まれることは、特徴の組み合わせが実現可能でない及び／又は有利でないことを意味するのではない。また、請求項の１つのカテゴリに特徴が含まれることは、このカテゴリへの限定を示すのではなく、この特徴は必要に応じて他の請求項のカテゴリにも同様に適用可能になり得ることを示す。
【図１】
0005393477.tif 000002
【図２】
0005393477.tif 000003
【図３】
0005393477.tif 000004
【図４】
0005393477.tif 000005
【図５】
0005393477.tif 000006